(57)【要約】【課題】電気電子機器収納用キャビネット等の扉に使用される開錠操作スペースの小さい扉係止装置を提供する。【解決手段】一端をキャビネット筺体１にヒンジ結合された扉２の他端側の側壁面２ａに孔部３を形成するとともに、該孔部３を塞ぐように取り付けた固定部材５に引掛けレバー６を回動自在に軸支し、この固定部材５を前記側壁面２ａと平行にスライド移動可能なカバー７で覆い、該カバー７をスライド移動することで前記引掛けレバーを回動させ、該引掛けレバー６の先端に設けたフック部６ａを前記孔部３を通して揺動させることにより、該フック部６ａとキャビネット筺体に設けた受け部９との係止を解きロック状態を解除する構造とした。また、前記カバー内部に、カバー７のスライド移動を防止するシリンダー錠１１を組み込むこともできる。【選択図】図１
2008121207.tif 000002
【特許請求の範囲】
【請求項１】
キャビネット筐体の扉の側壁面に孔部を形成するとともに、スライド移動するカバーにより引掛けレバーを回動させ、該引掛けレバーの先端に設けたフック部を前記孔部を通して揺動させることにより、該フック部をキャビネット筐体に設けた受け部との係止を解きロック状態を解除する構造としたことを特徴とする電気電子機器収納用キャビネットの扉係止装置。
【請求項２】
固定部材に引掛けレバーを回動自在に軸支し、この固定部材を前記カバーで覆い、カバーをスライド移動することで引掛けレバーを回動させることを特徴とする請求項１に記載の電気電子機器収納用キャビネットの扉係止装置。
【発明の詳細な説明】
【技術分野】
【０００１】
本発明は、電気電子機器収納用キャビネット等の扉に使用される開錠操作スペースの小さい扉係止装置に関するものである。
【背景技術】
【０００２】
従来からこの種の扉係止装置としては、例えば特許文献１に示されるように、軸受板部と側板部を折曲形成したキャビネット本体とキャッチレバーを軸支した構造の扉係止装置が知られている。
【０００３】
しかしながら、従来のものはロック状態にある扉係止装置の開錠は、ラッチを回転させることで係止関係を解除する構造であり、ラッチを回転操作する必要があるため、指先を引っ掛けて回動するための比較的広いスペースが必要であった。この結果、他のキャビネットや柱や壁等が近接した場所には接近させて設置することができないという問題点があった。
【特許文献１】実開平４−２８７１号公報
【発明の開示】
【発明が解決しようとする課題】
【０００４】
本発明は上記のような問題点を解決して、開錠操作スペースを極力小さくすることが可能で、他のキャビネットや柱や壁等が近接した場所にも十分に接近させて設置することができるキャビネット筺体の扉係止装置を提供することを目的として完成されたものである。
【課題を解決するための手段】
【０００５】
上記課題を解決するためになされた発明の装置は、キャビネット筐体の扉の側壁面に孔部を形成するとともに、スライド移動するカバーにより引掛けレバーを回動させ、該引掛けレバーの先端に設けたフック部を前記孔部を通して揺動させることにより、該フック部をキャビネット筐体に設けた受け部との係止を解きロック状態を解除する構造としたことを特徴とするものを請求項１に記載の発明とし、この発明において、固定部材に引掛けレバーを回動自在に軸支し、この固定部材を前記カバーで覆い、カバーをスライド移動することで引掛けレバーを回動させることを特徴とするものを請求項２に記載の発明とする。
【発明の効果】
【０００６】
本発明の電気電子機器収納用キャビネットの扉係止装置は、従来のようにラッチを回転させることで係止関係を解除する構造ではなく、扉の側壁面と平行にカバーをスライド移動させて引掛けレバーを回動させ、ロック状態を解除する構造であるため、カバーを側壁面に沿って平行にスライド移動する操作だけでロック解除を行うことができることとなり、狭いスペースで開錠操作を行うことが可能となる。
また、固定部材の内部に、カバーのスライド移動を防止するシリンダー錠を組み込んだ場合には、セキュリティをより高めることができる。
【発明を実施するための最良の形態】
【０００７】
以下に、図面を参照しつつ本発明の好ましい実施の形態を示す。
図１は、本発明の扉係止装置を示す分解斜視図、図２は図１を逆方向から見た分解斜視図である。図において、１は電気電子機器収納用のキャビネット筺体、２はこのキャビネット筺体１の前面に設けた開口部を施蓋するための扉である。この扉２は、一端をキャビネット筺体１にヒンジ結合されている。
【０００８】
また、前記扉２のヒンジ結合していない方の他端側の側壁面２ａには孔部３が形成されていて（図３参照）、この孔部３の周囲には一対の軸受け部４、４を突設した固定部材５が取り付けられる。
また、この軸受け部４、４には先端を内部に向けてＬ字状に突出させたフック部６ａを有する引掛けレバー６がピン８により軸支されて、固定部材５に対して引掛けレバー６が回動自在となるよう構成されている。
また、引掛けレバー６は、後述するようにコイルばねやトーションバー等により付勢されていて、フック部６ａが前方側（即ち、キャビネット筺体１の内部側）へ常に突出するよう保持されている。なお、前記固定部材５は、引掛けレバー６が前記扉２の孔部３を通して内部側へ飛び出すようにキャビネット筺体１の外側から挿入した後、側壁面２ａにねじ止め等により取り付けることができる。また前記孔部３としては、図４に示すような切り欠き孔でもよい。ただし、図３のように、孔部３が形成されている場合は、下方部に桟３ａが残っているので扉２の板材が薄い時や、扉の曲げ厚さが薄くなった時にも曲げに対して強い構造となり好ましい。
【０００９】
更に、前記固定部材５は前記側壁面２ａと平行にスライド移動自在なカバー７で覆われており、該カバー７の平行方向へのスライド移動によって前記引掛けレバー６を回動させ、該引掛けレバーの先端に設けたフック部６ａを前記孔部３を通して揺動させることにより、該フック部６ａとキャビネット筺体に設けた受け部９との係止を解きロック状態を解除する構造となっている。
前記カバー７は、あらかじめカバー側面に延設して折り曲げられた係止片を固定部材５に設けられた溝５ａに嵌め込んだ構造となっており、固定部材の上部とカバー上部が接するため、下方向に外れることはない。なお、固定部材５に設けた溝５ａは、カバーの係止片が扉の側面に当たらない程度にしておくことが好ましい。
【００１０】
以下に、ロック解除について詳細に説明する。図５はロック状態を示す要部の断面図であるが、この時はカバー７は下方側へ下がった位置にあり、引掛けレバー６は、片部６ａを前方側へ突出した状態に、コイルばねやトーションバー等により付勢されている。この結果、片部６ａの先端部が箱本体１に設けた受け部９に係止してしっかりとロック状態を保持している。
一方、図６はロックの解除状態を示す要部の断面図であるが、カバー７を上方向へスライド移動することで、カバー内側に設けた押圧片１０が引掛けレバー６の基部６ｂに当接して上方へ押し上げると、引掛けレバー６はピン８を中心に時計方向に回動する。この結果、フック部６ａが前記孔部３を通して揺動し、受け部９との係止を解く方向に移動することで、ロックが解除されることとなる。
このように、本発明ではカバー７を扉の側壁面と平行な方向へスライド移動する操作だけでロック解除を行うことができることとなり、従来のようにラッチを回転させるスペースが不要であり、狭いスペースで開錠操作を簡単に行うことが可能となる。
【００１１】
図７〜図８は、カバー内部に、カバーのスライド移動を防止するための一般的なシリンダー錠１１を組み込んだ場合を示すものである。図７はその分解斜視図、図８はカバーの裏面側から見た斜視図である。
図示のものでは、シリンダー錠１１を固定部材５のシリンダー保持部５ｂに固定しておき、カバー７の開口７ａより差し込んだ鍵によってシリンダーを回動させ、シリンダー錠１１の係合片１１ａをカバーに設けた係合部（図示せず）に係止することで、カバー７のスライド移動を防止するよう構成されている。
なお、図８において、１２は引掛けレバー６の片部６ａが常に前方側へ突出するように付勢するためのコイルばねである。
このように、シリンダー錠１１を組み込んだ場合は、セキュリティをより高めることができる。
【００１２】
以上の説明からも明らかなように、本発明はキャビネット筐体の扉の側壁面に孔部を形成するとともに、スライド移動するカバーにより引掛けレバーを回動させ、該引掛けレバーの先端に設けたフック部を前記孔部を通して揺動させることにより、該フック部をキャビネット筐体に設けた受け部との係止を解きロック状態を解除する構造としたので、カバーをスライド移動する操作だけでロック解除を行うことができることとなり、狭いスペースで開錠操作を行うことが可能となる。
【図面の簡単な説明】
【００１３】
【図１】本発明の実施の形態を示す分解斜視図である。
【図２】図１を逆方向から見た分解斜視図である。
【図３】本発明の扉の側壁面の孔部を示す正面図である。
【図４】本発明の扉の側壁面の孔部の他の実施の形態を示す正面図である。
【図５】ロック状態を示す要部の断面図である。
【図６】ロック解除状態を示す要部の断面図である。
【図７】その他の実施の形態を示す分解斜視図である。
【図８】図７のカバーの裏面側から見た斜視図である。
【符号の説明】
【００１４】
１  キャビネット筺体
２  扉
２ａ  側壁面
３  孔部
４  軸受け部
５  固定部材
６  引掛けレバー
６ａ  フック部
６ｂ  基部
７  カバー
８  ピン
９  受け部
１０  押圧片
１１  シリンダー錠
11ａ  係合片
【図１】
2008121207.tif 000003
【図２】
2008121207.tif 000004
【図３】
2008121207.tif 000005
【図４】
2008121207.tif 000006
【図５】
2008121207.tif 000007
【図６】
2008121207.tif 000008
【図７】
2008121207.tif 000009
【図８】
2008121207.tif 000010